(57)【要約】【課題】特色により強調された部分を有する画像やよりグラディエーションのなめらかな表現にする。【解決手段】コンピュータに取り込まれたフルカラーの画像データを高周波成分と低周波成分を範囲指定することで特色に色分解し、各濃度差を白黒２階調のハーフトーン分解して夫々の画像信号を統合し、使用するタオル織機の色糸限定数の範囲内に減色し、減色された色糸を緯糸又は上糸に割り当て、擬似的にフルカラー若しくはモノトーンの画像データを作成し、使用するタオル織機の色糸情報と縦方向密度情報をコンピュータに入力し、これらの情報に基づいて画像データを変換して作成された織成データに従ってタオル織機を駆動させ、織物の柄の表現に必要な緯糸又は上糸を表面組織に配設し、該糸の裏側に柄表現に不必要な緯糸又は上糸を配設し、表面組織に配設された経糸又は／及び緯糸でフルカラー画像データと近似した特色による写真風織物を織成することを特徴とする。【選択図】図１
2010144317.tif 000002
【特許請求の範囲】
【請求項１】
コンピュータ処理されたデータにより、タオル織機で織物の表側に表出した緯糸又は上糸で柄を織物に表現する写真風織物の製織方法において、
写真、絵画等を画像入力手段により光学的に読み取り、フルカラー画像データとして、解像度が使用するタオル織機のデータに対応してピクセル調整されたコンピュータに取り込む工程と、
取り込まれたフルカラーの画像データを高周波成分と低周波成分を範囲指定することで特色に色分解し、夫々の濃度差を白黒２階調のハーフトーン分解する工程と、
白黒に変換された夫々の画像信号を統合し、使用するタオル織機の色糸限定数の範囲内に減色する工程と、
減色された色彩の糸を緯糸又は上糸に割り当て、擬似的にフルカラー若しくはモノトーンの画像データを作成する工程と、
使用するタオル織機の色糸情報と縦方向密度情報をコンピュータに入力し、これらの情報に基づいて画像データを変換する工程とにより作成された織成データに従ってタオル織機を駆動させ、織物の柄の表現に必要な緯糸又は上糸を表面組織に配設し、該糸の裏側に柄表現に不必要な緯糸又は上糸を配設し、表面組織に配設された経糸又は／及び緯糸でコンピュータに取り込まれたフルカラー画像データと近似した特色による写真風織物を織成することを特徴とする写真風織物の製織方法。
【請求項２】
コンピュータ処理されたデータにより、タオル織機でタオル織物の表側又は／及び裏側に表出した経糸のパイル部分で色柄をタオル織物の毛中に表現する写真風織物の製織方法であって、
写真、絵画等を画像入力手段により光学的に読み取り、フルカラー画像データとして、解像度が使用するタオル織機のデータに対応してピクセル調整されたコンピュータに取り込む工程と、
取り込まれたフルカラーの画像データを特色に色分解し、夫々の濃度差を白黒２階調のハーフトーン分解する工程と、
白黒に変換された夫々の画像信号を統合し、使用するタオル織機の色糸限定数の範囲内に減色する工程と、
減色された色彩の糸を経糸又は／及び緯糸に割り当て、擬似的に特色によるフルカラーの画像データを作成する工程と、
使用するタオル織機の色糸情報と横方向密度情報をコンピュータに入力し、これらの情報に基づいて画像データを変換する工程とにより作成された織成データに従ってタオル織機を駆動させ、タオル織物の表側又は／及び裏側に織物の柄の表現に必要な経糸でパイルを形成し、柄表現に不必要な経糸はパイルを形成せず、経糸のパイル部分でコンピュータに取り込まれたフルカラー画像データと近似した特色による写真風織物を織成することを特徴とする写真風織物の製織方法。
【発明の詳細な説明】
【技術分野】
【０００１】  本発明は写真等から光学的に読み取ったフルカラーの画像データと略同様に、色彩豊かな図柄をタオル織機を用いて写実的に表現することのできる写真風織物の製織方法に関する。
【背景技術】
【０００２】  従来、Ｒ（赤）Ｇ（緑）Ｂ（青）分解＋特色若しくはＣ（シアン）Ｍ（マゼンダ）Ｙ（イエロー）Ｂ（ブラック）分解＋特色を使用することで擬似的に色が混合したようにし、恰も写真のように見える柄を織成する方法としては、特許文献１、２、３、４、５、６又は７記載の発明が提案されている。しかしながら、これらの発明はパンチングカード枚数との関係や、線形補間法や最近傍法を用いていないため、タオル織機で織成不可能で、又、タオルのような糸太番手を使用して織成すると、手で織物を取れる近距離では写真織物に見えず、単に色糸が入り組んで織成されているように見える。輪郭周囲に輪郭内側部と同じ織り組織を入れることになるので糸太番手を用いると、輪郭が明白にならない。上記織成方法は、ネクタイ等の糸細番手を用いて高密度織機で織成する方法であって、この方法をタオル織機で節約織りをするとタオル織機の構造上、タオル織機の機種によっては停止し稼動しない場合がある。
又、誤差拡散法による分解を用いたものとして特許文献８や特許文献９に記載の発明が存在する。誤差拡散法で得られた画像は、１ピクセル基準で画像を作成し、１ピクセルで作成された画像は１ドットが１ｍｍ以下であるため、例えばミシン糸のような直径１ｍｍ以下の糸で製織する場合には適用可能であるが、１ｍｍ程度の太い糸を用いるタオル製織用糸には適用できない。そのため、人為的に不要なピクセルを目分量で塗り潰し、１ｍｍ以上のタオル製織用糸の太さに対応するために間引きして５ドット、１０ドットでドットを固めて１ｍｍ以上の固まりピクセルにする必要性があり、誤差拡散法を用いる分解は太い製織用糸を用いるタオル製織には不向きである。【０００３】  本願発明者は、太いタオル製織用糸を用いる製織にはコンピュータに取り込んだ画像をハーフトーン分解を用いて分解し、ピクセルの固まりを製織用糸の直径に合致するように調整することで、太さのあるタオル製織用糸を用いるタオル製織に対応可能なことに着目し、ハーフトーン分解工程を有する写真風織物の製織方法を創案した。この内容は、特願２００５−３８１０２７として特許出願をし、特許第４２１４５５０号として特許権を取得した。
特許第４２１４５５０号に係る特許発明は、ハーフトーン分解を用いて画像分解したものをモノトーンに変換することが有効であるとして、色糸をＣＭＹＫに限定している。
しかしながら、色糸を限定すると、強調された部分を有する画像やよりグラディエーションのなめらかな表現をするには限界がある場合もあるという問題点を有する。
【特許文献１】特表２００４−５０９２４４号公報
【特許文献２】特開２００２−３０２８４３号公報
【特許文献３】特開２００１−２２６８４８号公報
【特許文献４】特開２０００−２１２８５０号公報
【特許文献５】特開平１１−２５６４４８号公報
【特許文献６】特開平７−２１６６８２号公報
【特許文献７】特開２００３−２０１６４５号公報
【特許文献８】特開２００１−２２６８４８号公報
【特許文献９】特表２００４−５２２８７０号公報
【発明の開示】
【発明が解決しようとする課題】
【０００４】  本願発明は、上記従来技術の有する問題点を解決するために、コンピュータに取り込んだ画像と同様な写実的図柄をタオル織物に表現するに際し、不要な色を排除し、製織者の選択する特定色の色糸でタオル織物のボーダー部のみならず、毛部分においてもパイルで写真風の写実的図柄を表現可能な写真風織物の製織方法を提供することを目的とする。
【課題を解決するための手段】
【０００５】  請求項１記載の発明は、コンピュータ処理されたデータにより、タオル織機で織物の表側に表出した緯糸又は上糸で柄を織物に表現する写真風織物の製織方法において、写真、絵画等を画像入力手段により光学的に読み取り、フルカラー画像データとして、解像度が使用するタオル織機のデータに対応してピクセル調整されたコンピュータに取り込む工程と、取り込まれたフルカラーの画像データを高周波成分と低周波成分を範囲指定することで特色に色分解し、夫々の濃度差を白黒２階調のハーフトーン分解する工程と、白黒に変換された夫々の画像信号を統合し、使用するタオル織機の色糸限定数の範囲内に減色する工程と、減色された色彩の糸を緯糸又は上糸に割り当て、擬似的にフルカラー若しくはモノトーンの画像データを作成する工程と、使用するタオル織機の色糸情報と縦方向密度情報をコンピュータに入力し、これらの情報に基づいて画像データを変換する工程とにより作成された織成データに従ってタオル織機を駆動させ、織物の柄の表現に必要な緯糸又は上糸を表面組織に配設し、該糸の裏側に柄表現に不必要な緯糸又は上糸を配設し、表面組織に配設された経糸又は／及び緯糸でコンピュータに取り込まれたフルカラー画像データと近似した特色による写真風織物を織成することを特徴とする。
請求項２に記載の発明は、コンピュータ処理されたデータにより、タオル織機でタオル織物の表側又は／及び裏側に表出した経糸のパイル部分で色柄をタオル織物の毛中に表現する写真風織物の製織方法であって、写真、絵画等を画像入力手段により光学的に読み取り、フルカラー画像データとして、解像度が使用するタオル織機のデータに対応してピクセル調整されたコンピュータに取り込む工程と、取り込まれたフルカラーの画像データを特色に色分解し、夫々の濃度差を白黒２階調のハーフトーン分解する工程と、白黒に変換された夫々の画像信号を統合し、使用するタオル織機の色糸限定数の範囲内に減色する工程と、減色された色彩の糸を経糸又は／及び緯糸に割り当て、擬似的に特色によるフルカラーの画像データを作成する工程と、使用するタオル織機の色糸情報と横方向密度情報をコンピュータに入力し、これらの情報に基づいて画像データを変換する工程とにより作成された織成データに従ってタオル織機を駆動させ、タオル織物の表側又は／及び裏側に織物の柄の表現に必要な経糸でパイルを形成し、柄表現に不必要な経糸はパイルを形成せず、経糸のパイル部分でコンピュータに取り込まれたフルカラー画像データと近似した特色による写真風織物を織成することを特徴とする。
【発明の効果】
【０００６】  コンピュータに入力した画像をハーフトーン分解により色の固まりを抽出することで、ピクセルの大きさをタオル製織用糸の直径に合致した大きさにすることで、タオル織機でタオル製織用糸を用いるタオル製織に対応することができるという効果がある。
限定された色数で、多色の表現を行うことができ、太番手の糸で低密度に織成しても、近距離で写真のような写実的な図柄に見えるタオル織物を提供できるという効果がある。
タオルのボーダー部のみならず、毛部分においてもパイルで写真風織物を織成できるという効果がある。
【発明を実施するための最良の形態】
【実施例１】
【０００７】  写真、色彩を有する図柄等をカラースキャナ等の画像入力装置により読み取り、コンピュータにフルカラーのデジタル画像データとして取り込む。画像データ取り込みの場合、ピクセルと使用するタオル織機の紋丈及び紋口との関係を関連づけるピクセル調整を行う必要がある。つまり、１ピクセルを糸の上と落のデータとしてとらえ、ピクセルの存在するところは糸の組織も存在すると設定し、解像度は使用するタオル織機のデータに対応するようにピクセル調整を行なう。ピクセル調整を行わない場合、写真の網点を調整しても網点は織機データとしては消去され、又、網がけを行うことで擬似的なグラディエーションを作成している部分が消去されてしまうという理由による。【０００８】  取り込まれたフルカラーの画像テータを特色による色分解を行なう。特色による色分解は市販のコンピュータソフト等で、近似の色を高周波成分と低周波成分の数値を調整することで選択の範囲を設定する。Ｒ、Ｇ、Ｂを例に説明すると、ＲＧＢの設定範囲は０から２５５までの色がコンピュータのパレットとして選択可能である。コンピュータパレットは０が黒で、２５５が白と国際的に統一化されている。現在市販のコンピュータソフトは、この統一化されたパレットを基準にプログラムされていることは周知である。それゆえ、一例としてＲ＝１００、Ｇ＝１００及びＢ＝１００を選択する場合、高周波成分と低周波成分の範囲を前後２０とすると、選ばれる範囲はＲは８０から１２０、Ｇは８０から１２０、Ｂは８０から１２０であり、これらの範囲の色が選択範囲として選ばれる。より詳細に説明すると、画像の色調分布を解析するための一例としてヒストグラムによる補正を行う。グラティエーションを解析し、タオル織機で製織するためには不必要な部分がどの部分であるかを判断するためにヒストグラムを用い、ヒストグラムから周波数成分を区分けすることで色の範囲を狭めていく。
選択された範囲の色画像は、ハーフトーン分解によりタオル織機を稼動させるためのデータに変換する。本実施例では、網角を意図的に同色のピクセルが横に並びやすい角度に設定し、その設定角度による分解を行う。ハーフトーンは特色の夫々の色の濃淡を表示した画像である。つまり、白黒に変換された特色の夫々の画像を同一画素値が定義された複数の隣接されたピクセル群となる白黒２階調のハーフトーンに変換する。
本実施例でハーフトーン分解を使用するのは、ピクセルの固まりで分解をし、使用する糸の直径以下のものは黒、若しくは白の固まりとして表現し、固まりの大きさを使用する糸の直径に合致するように調整することで、少なくとも直径１ｍｍを有する太さのあるタオル製織用糸を用いる製織に対応できるという理由による。【０００９】  作成された特色の各白黒２階調画像信号を各特色のチャンネルに割り当て、統合する。すなわち、各特色のチャンネルに分解し、０、１信号の画像に分解、再合成という手順をふみ、色の固まりを抽出することで、直径１ｍｍ程度の太いタオル製織用糸を使用してタオル織機で製織可能にしている。
選択する色糸の数は、使用するタオル織機の色糸限定数により決定される。
具体例として、４色で製織する場合は、４段階で色の選択範囲を決定する。つまり、例えば選択範囲をＲ＝０、Ｇ＝０、Ｂ＝０、Ｒ＝１００、Ｇ＝１００、Ｂ＝１００、Ｒ＝２００、Ｇ＝２００、Ｂ＝２００、Ｒ＝２５５、Ｇ＝２５５、Ｂ＝２５５を選択し、夫々に高周波成分と低周波成分の範囲を割り当て、近似値を選ぶ。つまり、高周波成分と低周波成分の範囲をヒストグラムを用いて決定し、決定した色の色糸を割り当てるものである。図１に示す白から薄い灰色、濃い灰色、そして黒色に至るグラディエーションを織物に表現するのに使用する色糸を決定する場合を例に説明する。図１の白から黒に亘るグラディエーションのヒストグラムより、図１のグラディエーションの区間に於けるヒストグラム上で不要な部分は白度２０％前後が、黒度は１０％前後が好適である。従って、４つに色分けする場合は、その色のヒストグラムから夫々の高周波成分２０％、低周波成分１０％は切り捨てたヒストグラムからハーフトーン分解前の画像を作成する。但し、図２の白成分のヒストグラムと図５で示される黒成分のヒストグラムは、何人が分解しても略同じ結果を得るが、白色と黒色との間の中間色の色糸はメーカーにより異なる。図３は薄い灰色成分のヒストグラム、図４は濃い灰色成分のヒストグラムであるが、ヒストグラム上で判断し、更に高周波成分と低周波成分を排除し決定した色糸を割り当ててもよい。
図６はＲ＝２５５、Ｇ＝２５５、Ｂ＝２５５のハーフトーン分解前の画像、図７はＲ＝２００、Ｇ＝２００、Ｂ＝２００のハーフトーン分解前の画像、図８はＲ＝１００、Ｇ＝１００、Ｂ＝１００のハーフトーン分解前の画像、図９はＲ＝０、Ｇ＝０、Ｂ＝０のハーフトーン分解前の画像である。図１０はＲ＝２５５、Ｇ＝２５５、Ｂ＝２５５のハーフトーン分解後の画像、図１１はＲ＝２００、Ｇ＝２００、Ｂ＝２００のハーフトーン分解後の画像、図１２はＲ＝１００、Ｇ＝１００、Ｂ＝１００のハーフトーン分解後の画像、図１３はＲ＝０、Ｇ＝０、Ｂ＝０のハーフトーン分解後の画像である。図１０〜図１３の画像は、ハーフトーン分解により白黒２階調となっているため、夫々の色を付して１つの画像に合成したものを図１４に示す。ハーフトーン分解により白黒２階調の画像に夫々の色を付して１つの画像に合成したものは、Ｒ＝０、Ｇ＝０、Ｂ＝０、Ｒ＝１００、Ｇ＝１００、Ｂ＝１００、Ｒ＝２００、Ｇ＝２００、Ｂ＝２００、Ｒ＝２５５、Ｇ＝２５５、Ｂ＝２５５の４段階の色分けされた網点の画像が出来上がる。この４段階の色は織機で使用する色糸に対応し、且つ、網目の大きい分解であるため太いタオル製織用糸を用いてタオル織機で製織するのに最適な分解結果となっている。【００１０】  次に製織データの作成を行う。
画像データは縦横のピクセル数と織機データであるＣＧＳの紋丈、紋口が、横ピクセル数＝紋口、縦のピクセル数＝紋丈の関係にあり、画像データを紋口数と紋丈数を織成する織物のサイズに合わせる。この場合、縦の紋丈数は、カード枚数に応じて作成する。まず、紋丈数を決定するためにメートルの作成を設定する。メートルとは抒替えの情報、つまり緯色糸情報と縦１インチ間の糸密度及び単動若しくは節約の情報を埋め込むデータ領域を示す。メートル作成方法は、ＣＧＳ作成用ソフトにより異なるが、一般に次の方法で作成する。メートルの本数は織物の組織により変化するために必ずしも特定本数が定まらないが、例えば２色の平地部分を節約カードとして作成するときはメートルの本数は２本、３色の平地部分を節約カードとして作成するときはメートルは３本作成することが好適である。このとき、メートルの情報として抒替え情報を埋め込む。抒替え情報として埋め込まれるのは緯色糸の指定情報と縦方向の１インチ間の密度の情報である。Ｘ．ｌｅｎｇｔｈを画像データの縦方向のピクセル数、Ｎを織成する織物の長さ（単位：ｃｍ）、Ｐを織物の縦方向１インチ間の密度、Ｍを縮率とすると、Ｘ．ｌｅｎｇｔｈ＝（Ｎ÷２．５４）×ｐ×（１＋０．０１×Ｍ）の式が成立する。Ｘ．ｌｅｎｇｔｈは単動のピクセル数として計算され、単動のタオル織機を用いる場合は、上記Ｘ．ｌｅｎｇｔｈの値を節約タオル織機を用いる場合は使用する色数で割った値を節約のデータとして換算される。図１５は５色の緯糸を表面に織り出した繻子織の密度を高める前の表面図、図１６は赤色糸１、青色糸２、イエロー色糸３、黒色糸４、白色糸５の密度を高めた状態の表面図である。５色の糸のうちの赤色糸１以外の４色の糸は裏に隠れ、赤色糸１の１色の糸のみが表出し表側は恰も赤色糸１の１色の糸しか見えないようにする必要性があり、各糸が表に出る確率は１／５ということになる。つまり、画像データの解像度はそのままで、縦方向ピクセル数（紋丈）のみ１／５に縮小するようになる。６は経糸、７は留め糸である。
一般にある点（ｘ，ｙ）が縮小又は拡大され（Ｘ，Ｙ）に位置変更する場合にはＸ＝ａｘ、Ｙ＝ｂｙの関係が成立する。拡大又は縮小を行う場合は、この工程において線形補間法が用いられる。ａ＜１及びｂ＜１の場合は縮小になり、ａ＞１及びｂ＞１の場合は拡大になる。すべての画素点にＸ＝ａｘ，Ｙ＝ｂｙの公式が用いられ、出力画面上の点（Ｘ，Ｙ）の濃度値に入力画面上（ｘ，ｙ）の濃度値を書き込む。縮小の場合、配列した緯糸の中間に位置する色が削除される場合がある。例えば、図１７に示す出力画面の図案を１／５に縮小すると、図１８に示すように上下両端の赤色１４と青色１５のみが残ってしまうという不具合が生じる。これを解決するために、線形補完法と同時に最近傍法を用い、四捨五入して画面上の座標（Ｘ，Ｙ）に最も近い格子点を選ぶ。【００１１】  本願発明は織物の表側に表出する緯色糸を上げとして組織を組み込み、その他の緯色糸は裏側に隠してしまうが、網点や濃淡が明白でない部分は、分解段階がドットが消えないようにドットの周囲にさらに異なる組織、つまり通常は上げ組織を入れることで、先の特色分解が消えないように組織を組み込む。例えば、図１９のように、黒部分で経糸を表出して緯糸を留めるが、青色の緯糸の組織部分８と赤色の緯糸の組織部分９との境界部分１０の黒部分１１を除去し、図２０に示すように右側部分は、右側部分の色と同色の緯糸を表側に出し、左側部分は左側部分の色と同色の緯糸を表側に出して留め糸である経糸を下に隠して、夫々上げ組織１２、１３を入れることで色彩等の境界を明瞭にする。
【実施例２】
【００１２】  写真等をコンピュータに画像データとして取り込み、ハーフトーンに変換する工程は、実施例１と全く同じであるので説明を省略する。【００１３】  図２１に示すように、毛中の部分は経糸１６と下糸１７、緯糸１８で構成され、下糸はパイルを作成するために経糸を引っぱる用途をなし、経糸はパイルを形成し、緯糸はパイルすなわち経糸と下糸を留める役目を果たす。経糸は特色で構成し、毛違い織りをする。もっとも効率のよい写真製版パイル組織を作成するためには特色数色を使用すべきであるが、特色が増えると増えただけ、６色毛違い、７色毛違いとなり、横方向のオサ密度が増えないと、非常に荒くなってしまい、製品としてはあまり品質のよいものに仕上がらない。例えば、５色毛違いで白を表面にパイルとして出すには、パイル表面が横方向に特色１９（落ち）、特色２０（落ち）、特色２１（落ち）、特色２２（落ち）、特色２３（上げ）とする。特色１９を表面にパイルとして出すには、図１３に示す通り、特色１９（上げ）、特色２０（落ち）、特色２１（落ち）、特色２２（落ち）、特色２３（落ち）という構成に織成する。本実施例では、表に出るパイルは１／５であり、横方向のオサ密度は高密度であればあるほどよい。これは、６色毛違いであれば当然パイルの表面に出る範囲が１／６となるため、さらにオサを高密度にする必要がある。こうして作成されたものは５色毛違いであれば、経糸のみで特色の５色のみで恰も写真のような写実的な図柄を呈する多色のパイル製品を作成することが可能である。【００１４】  このようにして、緯糸に特定の色糸を使うことでタオルボーダー部に、経糸に特定の色糸を使うことで、タオルパイル部にプリントをせずしてタオルのすべての部分にて写真製版の表現が可能となった。
【図面の簡単な説明】
【００１５】
【図１】グラディエーションとそのヒストグラムである。（実施例１）
【図２】白成分のヒストグラムである。（実施例１）
【図３】薄い灰色成分のヒストグラムである。（実施例１）
【図４】濃い灰色成分のヒストグラムである。（実施例１）
【図５】黒成分のヒストグラムである。（実施例１）
【図６】Ｒ＝２５５、Ｇ＝２５５、Ｂ＝２５５のハーフトーン分解前の画像である。（実施例１）
【図７】Ｒ＝２００、Ｇ＝２００、Ｂ＝２００のハーフトーン分解前の画像である。（実施例１）
【図８】Ｒ＝１００、Ｇ＝１００、Ｂ＝１００のハーフトーン分解前の画像である。（実施例１）
【図９】Ｒ＝０、Ｇ＝０、Ｂ＝０のハーフトーン分解前の画像である。（実施例１）
【図１０】Ｒ＝２５５、Ｇ＝２５５、Ｂ＝２５５のハーフトーン分解後の画像である。（実施例１）
【図１１】Ｒ＝２００、Ｇ＝２００、Ｂ＝２００のハーフトーン分解後の画像である。（実施例１）
【図１２】Ｒ＝１００、Ｇ＝１００、Ｂ＝１００のハーフトーン分解後の画像である。（実施例１）
【図１３】Ｒ＝０、Ｇ＝０、Ｂ＝０のハーフトーン分解後の画像である。（実施例１）
【図１４】図１０〜図１３の画像に夫々の色を付し、合成して１つの画像にしたものである。（実施例１）
【図１５】密度を高める前の表面図である。（実施例１）
【図１６】密度を高めた後の表面図である。（実施例１）
【図１７】入力画面である。（実施例１）
【図１８】出力画面である。（実施例１）
【図１９】境界部分の留め用経糸を黒い部分で説明した図である。（実施例１）
【図２０】異なる上げ組織を入れた説明図である。（実施例１）
【図２１】組織図である。（実施例２）
【符号の説明】
【００１６】６、１６  経糸
１７  下糸
１８  緯糸
【図１】
2010144317.tif 000003
【図２】
2010144317.tif 000004
【図３】
2010144317.tif 000005
【図４】
2010144317.tif 000006
【図５】
2010144317.tif 000007
【図６】
2010144317.tif 000008
【図７】
2010144317.tif 000009
【図８】
2010144317.tif 000010
【図９】
2010144317.tif 000011
【図１０】
2010144317.tif 000012
【図１１】
2010144317.tif 000013
【図１２】
2010144317.tif 000014
【図１３】
2010144317.tif 000015
【図１４】
2010144317.tif 000016
【図１５】
2010144317.tif 000017
【図１６】
2010144317.tif 000018
【図１７】
2010144317.tif 000019
【図１８】
2010144317.tif 000020
【図１９】
2010144317.tif 000021
【図２０】
2010144317.tif 000022
【図２１】
2010144317.tif 000023